(57)【要約】【課題】チューナＩＣを含むチューナ部を有する受信機用基板において、チューナ部を基板から分離する場合にも分離しない場合にも共通に用いることができ、かつ、分離したチューナ部も用いることができる受信機用基板、及びその受信機用基板を有する受信機を提供する。【解決手段】メインボード１４は、チューナＩＣを含むチューナ部１６と、チューナ部１６を囲むように形成された複数のスリット１８と、複数のスリット１８のチューナ部１６側に設けられ、チューナ部１６の回路に接続された端子接続部２１と、複数のスリット１８のチューナ部１６側とは反対側に設けられ、信号処理用の回路に接続された端子接続部２２と、を有する。【選択図】図３
2013074433.tif 000002
【特許請求の範囲】
【請求項１】
基板上に実装されたチューナＩＣを含むチューナ部と、
前記チューナ部を囲むように、前記基板に形成された複数のスリットと、
前記基板上の前記複数のスリットの前記チューナ部側に設けられ、前記チューナ部の回路に接続された第１の端子接続部と、
前記基板上の前記複数のスリットの前記チューナ部側とは反対側に設けられ、前記基板上の信号処理用の回路に接続された第２の端子接続部と、
を有することを特徴とする受信機用基板。
【請求項２】
前記チューナ部を覆うシールド部材を有することを特徴とする請求項１に記載の受信機用基板。
【請求項３】
前記シールド部材を固定するために前記基板に設けられた、前記シールド部材の一部が差し込み可能な複数の孔を有することを特徴とする請求項２に記載の受信機用基板。
【請求項４】
前記複数のスリットより形成される前記チューナ部の基板部分の形状は、多角形であり、
前記第１の端子接続部は、前記多角形の一辺に沿って配置されていることを特徴とする請求項１から３のいずれか１つに記載の受信機用基板。
【請求項５】
前記第１及び第２の端子接続部は、端子ピンが差込可能な孔を有することを特徴とする請求項１から４のいずれか１つに記載の受信機用基板。
【請求項６】
請求項１から５のいずれか１つに記載の前記受信機用基板を有する受信機。
【発明の詳細な説明】
【技術分野】
【０００１】
本発明の実施形態は、受信機用基板及び受信機に関する。
【背景技術】
【０００２】
従来より、テレビジョン受像機等のような受信機は、チューナを有している。テレビ受像機の場合、信号処理用の主基板ユニットであるメインボードに、選局装置ユニットであるチューナが搭載される。
【０００３】
チューナは、安価な半導体、空芯コイル、抵抗、コンデンサ、インダクタ等からなる回路により構成される。一般には、シールドケースに覆われた缶チューナが、メインボードに搭載される。
【０００４】
また、近年、チューナ回路は、安価な半導体チップのＩＣでも作られるようになり、そのチューナＩＣは、メインボード上に直接実装することができるようになっている。チューナＩＣには、従来の缶チューナのような調整等が不要であるというメリットもある。
【０００５】
チューナＩＣをメインボード上に直接実装した場合、メインボード上に配置されている他のデジタル回路及びその配線に流れる種々の信号や、組み合わされる液晶パネルや、電源ユニットなどで使われている信号からの輻射波は、アンテナからチューナＩＣに入力される微弱な放送信号にとって、受信性能を劣化させる妨害信号となる。
【０００６】
そのため、チューナＩＣをメインボード上に直接実装する場合、その妨害を低減するために、メインボードのグラウンド、電源及び信号の配線の配置や、チューナＩＣをシールドケースで覆うなど、種々の対策が取られる。
【０００７】
しかし、そのような妨害低減対策を取ることによって、十分な受信性能が得られる場合もあるが、例えば放送信号が微弱な環境に設置される場合を考慮すると、そのような対策だけでは不十分で、さらに高いシールド性能が必要な場合もある。そのよう場合は、チューナＩＣをメインボード上に直接実装しないで、缶チューナをメインボード上に搭載するようにして、十分な受信性能を得るようにすることが行われる。例えば、放送信号の周波数や放送規格は、地域、国などによって異なり、組み合わされる液晶パネルや、電源ユニットなどで使われている信号も異なる場合がある。
【０００８】
従って、各種受信機用に用いられる基板として、チューナＩＣが直接実装される基板と、缶チューナが搭載される基板の複数種類を予め用意しておき、販売され使用される地域や、組み合わされる液晶パネルや電源ユニット等に応じて、受信機用の基板は使い分けられている。そのため、受信機用基板は、複数種類必要であり、受信機のコスト増の原因の一つとなっていた。  
なお、チューナ部を分離可能な回路基板もあるが、チューナＩＣが直接実装される基板における受信性能の劣化防止については、従来は、考慮されていなかった。
【先行技術文献】
【特許文献】
【０００９】
【特許文献１】特開２００６−２５３６１０号公報
【発明の概要】
【発明が解決しようとする課題】
【００１０】
そこで、本実施形態は、チューナＩＣを含むチューナ部を有する受信機用基板において、チューナ部を基板から分離する場合にも分離しない場合にも共通に用いることができ、かつ、分離したチューナ部も用いることができる受信機用基板、及びその受信機用基板を有する受信機を提供することを目的とする。
【課題を解決するための手段】
【００１１】
実施形態の受信機用基板は、基板上に実装されたチューナＩＣを含むチューナ部と、前記チューナ部を囲むように、前記基板に形成された複数のスリットと、前記基板上の前記複数のスリットの前記チューナ部側に設けられ、前記チューナ部の回路に接続された第１の端子接続部と、前記基板上の前記複数のスリットの前記チューナ部側とは反対側に設けられ、前記基板上の信号処理用の回路に接続された第２の端子接続部とを有する。
【図面の簡単な説明】
【００１２】
【図１】実施形態に係わるテレビジョン受像機１の正面図である。
【図２】実施形態に係わるメインボード１４の平面図である。
【図３】実施形態に係わるメインボード１４のチューナ部１６の部分の部分斜視図である。
【図４】実施形態に係わる、チューナ部１６が分離されないメインボード１４への、シールド部材の取り付けを説明するための組立図である。
【図５】実施形態に係わる、チューナ部１６をメインボード１４から分離した場合における、メインボード１４への取り付けを説明するための組立図である。
【図６】実施形態に係わる、シールドケース４１がメインボード１４に搭載された状態の正面図である。
【図７】実施形態に係わる、スリット１８ｈと１８ｉを含む、メインボード１４の一部の平面図である。
【図８】実施形態の変形例に係わる、チューナ部１６をメインボード１４から分離した場合における、メインボード１４への取り付けを説明するための組立図である。
【図９】実施形態の変形例に係わる、シールドケース４１Ａがメインボード１４に搭載された状態の正面図である。
【発明を実施するための形態】
【００１３】
以下、図面を参照して実施形態を説明する。
【００１４】
（構成）
図１は、本実施形態に係わるテレビジョン受像機１の正面図である。放送受信装置であるテレビジョン受像機１は、正面に表示画面１１を有する本体部１２と、本体部１２を支持するスタンド１３とを有して構成されている。表示画面１１は、液晶パネル等の表示装置の表示部である。
【００１５】
本体部１２内の、表示画面１１の背面側には、信号処理用の回路が実装されたメインボード１４と、電源ユニット１５とが配設されている。メインボード１４は、後述するチューナICが搭載されたチューナ部１６を有し、後述するように、チューナ部１６は、メインボード１４から分離可能なように設けられている。電源ユニット１５は、メインボード１４及びその他の回路、部品などに電源を供給する。
【００１６】
テレビジョン受像器１は、例えば、表示装置として液晶パネルを用いて、地上波デジタル放送などの放送コンテンツを受信できる受信機であり、メインボード１４は、受信機用基板である。
【００１７】
図２は、メインボード１４の平面図である。メインボード１４は、略矩形の形状を有した回路基板であり、メインボード１４上には、各種信号処理のための回路素子、チップ等の各種部品１４ａと、外部アンテナ、外部機器などとの接続のための各種コネクタ部品１４ｂが搭載されている。  
点線で囲ったチューナ部１６には、チューナＩＣ１７が搭載されている。チューナ部１６は、メインボード１４に形成された細長い、複数のスリット１８ａ，１８ｂ，１８ｃ，１８ｄ，１８ｅ，１８ｆ，１８ｇ，１８ｈ，１８ｉ（以下、これらのスリットを纏めて指すとき、あるいは各スリットを指すときは、単にスリット１８という）により囲まれている。
【００１８】
さらに、図３も用いて、メインボード１４のチューナ部１６の部分の構成について詳述する。図３は、メインボード１４のチューナ部１６の部分の部分斜視図である。チューナ部１６は、図３において一点鎖線で囲まれたメインボード１４の基板の一部であり、チューナＩＣ１７を含む各種回路により構成されている。図２及び図３に示すように、チューナ部１６は、メインボード１４の一つの縁部１４ｘの近傍にレイアウトされている。すなわち、チューナ部１６は、メインボード１４上に実装されたチューナＩＣ１７を含む。
【００１９】
メインボード１４には、図３において一点鎖線で示す線に沿って形成された複数のスリット１８が形成されている。各スリット１８は、メインボード１４に形成された細長い孔であり、複数のスリット１８は、チューナ部１６を囲むように、メインボード１４に形成されている。
【００２０】
複数のスリット１８は、互いに所定の距離ｄを持って、コの字状に設けられている。コの字状の第１の部分１８Ａは、３つのスリット１８ａ，１８ｂ，１８ｃと、スリット１８ｄの一部とを含む。コの字状の第２の部分１８Ｂは、スリット１８ｄの一部と、スリット１８ｅと、スリット１８ｆの一部とを含む。コの字状の第３の部分１８Ｃは、スリット１８ｄの一部と、３つのスリット１８ｇ，１８ｈ，１８ｉとを含む。スリット１８ｄと１８ｆは、Ｌ字状に形成された細長い孔である。
【００２１】
すなわち、図３に示すように、第１の部分１８Ａと第３の部分１８Ｃは、メインボード１４の縁部１４ｘの辺方向とは直交する方向に沿って、複数のスリット１８を含み、第２の部分１８Ｂは、メインボード１４の縁部１４ｘの辺方向に平行な方向に沿って、複数のスリット１８を含む。
【００２２】
なお、チューナ部１６がメインボード１４の角部にあるときは、複数のスリット１８は、２つの部分からなるＬ字状に設ければよい。  
さらになお、ここでは、チューナ部１６の形状は、四角形であるが、三角形、五角形などの多角形でもよい。
【００２３】
各スリット１８は、細長い貫通孔であるため、メインボード１４の隣り合う２つのスリット１８間の領域、及びメインボード１４の縁部１４ｘと縁部１４ｘに近いスリット１８ａと１８ｉとの間の領域は、図示しない治具あるいは切断装置に切断し易くなっている。これらの領域を切断することによって、チューナ部１６が分離できるように、メインボード１４は構成されている。
【００２４】
チューナ部１６には、チューナＩＣ１７だけでなく、その他の必要な回路も搭載されている。チューナ部１６の各種回路と、複数のスリット１８によって囲まれていないチューナ部１６以外の他の回路とは、複数の信号線により接続され、チューナ部１６へのチャンネル選択信号等の信号が、メインボード１４上の信号処理用の回路等から供給され、チューナ部１６から受信信号がメインボード１４上の信号処理用の回路等へ供給可能となっている。
【００２５】
なお、スリット１８の数が多いことは、隣り合うスリット１８間の切り取られる基板部分が少なくなるというメリットと、さらに、チューナ部１６とその周囲の回路とをつなぐ基板部分が少なくなるので、デジタル信号等によるチューナ回路にとっては妨害信号となりうるメインボード１４内からの誘導を減らすことにもつながり、チューナの受信性能を向上させるというメリットもある。
【００２６】
メインボード１４の複数のスリット１８で囲まれた領域内には、複数の端子接続部２１が設けられ、複数のスリット１８で囲まれた領域の外側の領域には、複数の端子接続部２２が設けられている。
【００２７】
複数の端子接続部２１は、複数のスリット１８で囲まれた領域内の各種回路（チューナＩＣ１７を含む）と複数の信号線２３によって接続されている。複数の端子接続部２２は、複数のスリット１８で囲まれた領域の外側の領域の各種回路（信号処理用の回路等）と複数の信号線２４によって接続されている。複数の端子接続部２２は、複数の信号線２５によって、対応する複数の接続端子２３と接続されている。よって、複数の信号線２３と複数の信号線２４は、複数の端子接続部２１，複数の信号線２５及び複数の端子接続部２２を介して、電気的に接続されている。
【００２８】
図３では、複数の複数の端子接続部２１は、第３の部分１８Ｃの複数のスリット１８ｇ、１８ｈ、１８ｉに沿って、直線状に設けられ、複数の端子接続部２２も、第３の部分１８Ｃの複数のスリット１８ｇ、１８ｈ、１８ｉに沿って、直線状に設けられている。図３に示すように、複数の端子接続部２１は、メインボード１４上の複数のスリット１８のチューナ部１６側に設けられ、チューナ部１６の回路に接続されている。複数の端子接続部２２は、メインボード１４上の複数のスリット１８のチューナ部１６側とは反対側に設けられ、メインボード１４上の信号処理用の回路に接続されている。そして、複数の信号線２５の配線パターンは、メインボード１４のスリット１８間の領域を通るように、形成されている。
【００２９】
複数の端子接続部２１、２２は、例えば、接続用のピン部材である端子ピンが差し込み可能な孔（図７参照）を有するランドであり、メインボード１４の両面あるいは片面で、複数の端子接続部２１，２２と端子ピンとが半田付け可能となっている。
【００３０】
さらに、メインボード１４には、後述するように、シールドケース用の４つの取り付け孔１９が形成されている。すなわち、メインボード１４は、後述するシールド部材を固定するために、シールド部材の一部が差し込み可能な複数の孔１９を有する。
【００３１】
メインボード１４は、隣り合う２つのスリット１８間の領域、及びメインボード１４の縁部１４ｘと縁部１４ｘに近いスリット１８ａと１８ｉとの間の領域を、図示しない治具あるいは切断装置を用いて切断することによって、メインボード１４からチューナ部１６を分離することが出来るようになっている。
【００３２】
（作用）
上記のメインボード１４は、チューナ部１６を分離しないで使用される場合と、チューナ部を分離して使用される場合の２つの場合に対応することができる。  
例えば、上記のメインボード１４を使用するテレビジョン受像機１の放送信号が、メインボード１４で使用されているデジタル信号からの妨害を受けにくい周波数関係であったり、組み合わされる液晶パネルや、電源ユニットの信号からの輻射波などからの妨害を受けにくい構造や配置によって、かつ高いシールド性能が必要とされない環境で使用されるものである場合、チューナ部１６を分離しないで、上述したメインボード１４はそのまま、テレビジョン受像機１に搭載される。そして、チューナ部１６は、シールドケースなどによって覆われる。
【００３３】
図４は、チューナ部１６が分離されないメインボード１４への、シールド部材の取り付けを説明するための組立図である。図４に示すように、チューナ部１６は、シールドケース３１とシールドカバー３２とによって覆われる。シールドケース３１とシールドカバー３２が、シールド部材を構成する。
【００３４】
シールドケース３１は、例えば、導電性を有する金属製の、矩形の枠部材であって、複数のスリット１８に嵌合する複数の突出部３１ａ、３１ｂ，３１ｃ，３１ｄ，３１ｅ，３１ｆ，３１ｇ，３１ｈ，３１ｉ（以下、これらの突出部を纏めて指すとき、あるいは各突出部を指すときは、突出部３１という）を有する。シールドケース３１の一側面には、アンテナからのケーブルが接続されるアンテナ用端子２０が設けられている。
【００３５】
シールドカバー３２は、例えば、導電性を有する金属製の、矩形の蓋部材であり、シールドケース３１の上部に装着して取り付け可能な構造を有する。具体的には、シールドカバー３２は、矩形の平面部３２ａと、平面部３２ａの４つの縁部に設けられた側壁部３２ｂを有する。図４では、各側壁部３２ｂは、平面部３２ａの平面に平行な外側に延出した延出部３２ｂ１を有している。
【００３６】
シールドケース３１は、各突出部３１が、対応するスリット１８に嵌合するようにして、メインボード１４に取り付けられ、さらにシールドケース３１がシールドカバー３２が取り付けられることによって、チューナ部１６は、シールド部材によって覆われる。図３に示すように、突出部３１ａ、３１ｂ，３１ｃ，３１ｄ，３１ｅ，３１ｆ，３１ｇ，３１ｈ，３１ｉは、それぞれ、スリット１８ａ，１８ｂ，１８ｃ，１８ｄ，１８ｅ，１８ｆ，１８ｇ，１８ｈ，１８ｉに挿入される。
【００３７】
従って、テレビジョン受像機１の放送信号が前述したような妨害信号に対して高いシールド性能が必要とされない環境で使用されるものである場合は、図４のように、メインボード１４は使用される。
【００３８】
また、上記のメインボード１４が搭載されるテレビジョン受像機１の放送信号が前述したような妨害信号に対してさらに高いシールド性能が必要とされる環境で使用されるものである場合、チューナ部１６は、より高いシールド性能を有するように、メインボード１４から分離されて利用される。
【００３９】
図５は、チューナ部１６をメインボード１４から分離した場合における、メインボード１４への取り付けを説明するための組立図である。上述したように、メインボード１４の隣り合う２つのスリット１８間の領域、及びメインボード１４の縁部１４ｘと縁部１４ｘに近いスリット１８ａと１８ｉとの間の領域を、図示しない治具あるいは切断装置によって切断することによって、チューナ部１６の基板１４Ａをメインボード１４から分離することができる。
【００４０】
図５に示すように、分離されたチューナ部１６は、シールドケース４１とシールドカバー４２とによって覆われる。シールドケース４１とシールドカバー４２が、シールド部材を構成する。
【００４１】
シールドケース４１は、例えば、導電性を有する金属製の、矩形の枠部材であって、複数の突出部４１ａ、４１ｂ，４１ｃ，４１ｄ，４１ｅ，４１ｆ，４１ｇ，４１ｈ，４１ｉ（以下、これらの突出部を纏めて指すとき、あるいは各突出部を指すときは、突出部４１という）を有する。  
また、シールドケース４１は、メインボード１４の４つの取り付け孔１９に係合する４つの脚部４３を有する。  
さらに、シールドケース４１の一側面には、端子ユニット４４が設けられている。端子ユニット４４は、棒状の絶縁部材４４ａと、絶縁部材４４ａの軸方向に直交する方向に貫通するように設けられた、導線性の金属製の複数のピン部材４４ｂとを有している。複数のピン部材４４ｂは、シールドケース４１の内側と外側の方向に延出しており、各ピン部材４４ｂは、シールドケース４１の枠体の平面に方向に延びて途中で下側に延びるように、屈曲した形状を有している。
【００４２】
シールドカバー４２は、例えば、導電性を有する金属製の、矩形の蓋部材であり、シールドケース４１の上部に装着して取り付け可能な構造を有する。具体的には、シールドカバー４２は、矩形の平面部４２ａと、平面部４２ａの４つの縁部に設けられた側壁部４２ｂを有する。図５では、各側壁部４２ｂは、平面部４２ａの平面に平行な外側に延出した延出部４２ｂ１を有している。
【００４３】
図６は、シールドケース４１がメインボード１４に搭載された状態の正面図である。  
図５に示すように、分離されたチューナ部１６の基板１４Ａは、シールドケース４１の下部に装着され、固定される。チューナ部１６の基板１４Ａが取り付けされたシールケース４１は、メインボード１４に搭載される。
【００４４】
図６に示すように、分離されたチューナ部１６の基板１４Ａがシールドケース４１に下部から装着されたときに、端子ユニット４４の、シールドケース４１の内側の各ピン部材４４ｂが基板１４Ａの対応する複数の端子接続部２１の孔に通るように、端子ユニット４４の複数のピン部材４４ｂと複数の端子接続部２１は、配置されている。そして、各複数の端子接続部２１とピン部材４４ｂとは、半田付けすることができる。
【００４５】
また、シールドケース４１がメインボード１４に搭載されたとき、シールドケース４１に設けられた４つの脚部４３がメインボード１４の取り付け孔１９に差し込まれることにより、シールドケース４１は、メインボード１４に固定される。
【００４６】
チューナ部１６の基板１４Ａが取り付けされたシールケース４１がメインボード１４に搭載されたときに、端子ユニット４４の、シールドケース４１の外側の各ピン部材４４ｂがメインボード１４の対応する端子接続部２２の孔に通るように、端子ユニット４４の複数のピン部材４４ｂと複数の端子接続部２２は、配置されている。そして、各端子接続部２２とピン部材４４ｂとは、半田付けすることができる。
【００４７】
上記の例では、複数の端子接続部２１と２２は、矩形のチューナ部１６の基板１４Ａの部分の四角形の一辺に沿って配置されているので、シールドケース４１に取り付ける端子ユニット４４が一つで済み、コスト低減になる。  
なお、ここでは、チューナ部１６の基板１４Ａの形状は、四角形であるが、三角形、五角形などの他の多角形でもよく、その場合、複数の端子接続部２１と２２をその多角形の一辺に沿って配置すれば、同様に、シールドケース４１に取り付ける端子ユニット４４が一つで済み、コスト低減になる。
【００４８】
最後に、シールドカバー４２が、シールドケース４１の上面に取り付けられることにより、チューナ部１６の基板１４Ａは、メインボード１４から分離されかつシールド部材によりシールドされたことになる。
【００４９】
図７は、スリット１８ｈと１８ｉを含む、メインボード１４の一部の平面図である。図７に示すように、チューナ部１６をメインボード１４から分離しないときは、各信号線２３と２４は、端子接続部２１，２２，および信号線２５の配線パターンによって、電気的に接続されている。
【００５０】
そして、チューナ部１６をメインボード１４から分離すると、図７において、分断線ＤＬに沿って、メインボード１４は分断される。そのため、各信号線２３と２４は、信号線２５の配線パターンが切断されるため、電気的に接続されなくなる。
【００５１】
しかし、端子接続部２１，２２のそれぞれの孔２１ａ、２２ａに、一点鎖線で示すピン部材４４ｂが挿入され、半田付けされることによって、各信号線２３と２４は、端子接続部２１，２２，およびピン部材４４ｂによって、電気的に接続されることになる。
【００５２】
従って、搭載されるテレビジョン受像機１の放送信号が前述したような妨害信号に対して高いシールド性能が必要とされる環境で使用されるものである場合は、図５のように、チューナ部１６の基板１４Ａは、メインボード１４から分離されて使用される。
【００５３】
以上のように、チューナ部１６が分離可能であるため、メインボード１４は、チューナ部１６を分離しても、分離しなくても使用できる。よって、同じメインボード１４が、チューナ部１６がより高いシールド性能が必要とする場合としない場合の両方の場合に、使用できると共に、チューナ部１６の基板１４Ａを分離して使用する場合、分離されたチューナ部１６の基板１４Ａをそのまま利用できるので、大きなコスト低減になる。
【００５４】
なお、上述した例では、チューナ部１６がより高いシールド性能が必要とする場合に、分離したチューナ部１６が利用されているが、別のチューナ、例えば缶チューナ、をメインボード１４に搭載するようにしてもよい。
【００５５】
なお、チューナ部１６の基板部分１４Ａをメインボード１４から分離して、メインボード１４に搭載する場合、低背化のために、次のような構成でもよい。  
図８及び図９は、分離したチューナ部１６をメインボード１４に搭載する場合の変形例を説明する。なお、図８及び図９において、図５と図６における同じ構成要素については、同じ符号を付して説明は省略する。
【００５６】
図８は、チューナ部１６をメインボード１４から分離した場合における、メインボード１４への取り付けを説明するための組立図である。図９は、シールドケース４１Ａがメインボード１４に搭載された状態の正面図である。  
本変形例では、シールドケース４１Ａの構成が、上述したシールドケース４１とは異なっている。シールドケース４１Ａは、メインボード１４の４つの取り付け孔１９に係合する４つの脚部４３Ａを有するが、シールドケース４１Ａに設けられた４つの脚部４３Ａがメインボード１４の取り付け孔１９に差し込まれてシールドケース４１Ａがメインボード１４に固定されたときに、シールドケース４１Ａがメインボード１４のチューナ部１６の基板１４Ａのあった部分に、入り込むように、４つの脚部４３Ａは、シールドケース４１Ａの上側寄りに設けられている。
【００５７】
すなわち、チューナ部１６を含むシールドケース４１Ａのサイズを、メインボード１４のチューナ部１６の基板部分１４Ａが切り取られている部分のサイズよりも小さくし、メインボード１４に実装するための脚部４３Ａをシールドケース４１Ａの上側寄りに設け、さらに、端子ピン４４ｂの屈曲部がメインボード１４が上面側に近くなるように配置することによって、メインボード１４の基板面からのチューナ部１６の高さを低く抑えることができる。
【００５８】
その結果、図９に示すように、チューナ部１６を含むメインボード１４の厚さＤを、図６の構成に比べて、より薄くすることができる。いわゆるメインボードの低背化を図ることができ、ひいては、メインボード１４が搭載されるテレビジョン受像機１の薄型化をさらに図ることができる。
【００５９】
よって、上述した実施形態及び変形例に係る受信機用基板によれば、メインボードは、チューナ部１６を分離する場合にも分離しない場合にも共通に利用できるので、コスト低減になり、さらにメインボードのチューナ部を切り離しそのチューナ部の基板部分をチューナ部の基板として利用するために他の基板を準備する必要がなく、基板コストを抑えることができる。
【００６０】
以上のように、上述した実施形態及び変形例によれば、チューナＩＣを含むチューナ部を有する受信機用基板において、チューナ部を基板から分離する場合にも分離しない場合にも共通に用いることができ、かつ、分離したチューナ部も用いることができる受信機用基板、及びその受信機用基板を有する受信機を提供することができる。
【００６１】
本発明のいくつかの実施形態を説明したが、これらの実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００６２】
１  テレビジョン受像機、１１  表示画面、１２  本体部、１３  スタンド、１４  メインボード、１４Ａ  チューナ部の基板部分、１４ａ  各種部品、１４ｂ  各種コネクタ部品、１５  電源ユニット、１６  チューナ部、１７  チューナＩＣ、１８、１８ａ，１８ｂ，１８ｃ，１８ｄ，１８ｅ，１８ｆ，１８ｇ，１８ｈ，１８ｉ  スリット、１９  取り付け孔、２０  アンテナ用端子、２１，２２  端子接続部、２１ａ，２２ａ  孔、２３，２４、２５  信号線、３１、４１，４１Ａ  シールドケース、３２，４２，４２Ａ  シールドカバー、３２ａ、４２ａ  平面部、３２ｂ、４２ｂ  側壁部、３２ｂ１，４２ｂ１  延出部、３１，３１ａ、３１ｂ，３１ｃ，３１ｄ，３１ｅ，３１ｆ，３１ｇ，３１ｈ，３１ｉ  突出部、４３，４３Ａ  脚部、４４  端子ユニット、４４ａ  絶縁部材、４４ｂ  ピン部材、１  
【図１】
2013074433.tif 000003
【図２】
2013074433.tif 000004
【図３】
2013074433.tif 000005
【図４】
2013074433.tif 000006
【図５】
2013074433.tif 000007
【図６】
2013074433.tif 000008
【図７】
2013074433.tif 000009
【図８】
2013074433.tif 000010
【図９】
2013074433.tif 000011